(57)【特許請求の範囲】
【請求項１】
撮像素子と略平行に配置され、開口部を有するシャーシと、
前記開口部を貫通するように配置される第１電子回路基板と、
前記シャーシの第１面側に配置され、前記第１電子回路基板と電気的に接続される第２電子回路基板と、
前記シャーシの前記第１面とは反対側の第２面側に配置され、前記第１電子回路基板と電気的に接続される第３電子回路基板とを備えること
を特徴とするカメラ。
【請求項２】
請求項１に記載のカメラにおいて、
前記シャーシは、被写体光が通過するアパーチャ領域を有するシャッター取付部材と、前記シャッター取付部材に取り付けられたシャッターとを有すること
を特徴とするカメラ。
【請求項３】
請求項２に記載のカメラにおいて、
前記シャーシは、カメラ筐体の一部を構成する前ボディに取り付けられていること
を特徴とするカメラ。
【請求項４】
請求項３に記載のカメラにおいて、
前記第２電子回路基板は、前記前ボディに取り付けられていること
を特徴とするカメラ。
【請求項５】
請求項１から請求項４のいずれか一項に記載のカメラにおいて、
前記第３電子回路基板と電気的に接続される第４電子回路基板を更に備え、
前記開口部は、第１開口部と、前記第１開口部とは別の第２開口部とで構成され、
前記第１電子回路基板は、前記第１開口部を貫通するように配置され、
前記第４電子回路基板は、前記第２開口部を貫通するように配置されていること
を特徴とするカメラ。
【請求項６】
請求項５に記載のカメラにおいて、
前記第１電子回路基板及び前記第４電子回路基板は、被写体光が通過するアパーチャ領域を挟むように配置されていること
を特徴とするカメラ。
【請求項７】
請求項１から請求項６のいずれか一項に記載のカメラにおいて、
光軸方向において前記シャーシと前記第３電子回路基板との間に配置され、前記撮像素子を制御するための回路を有する第５電子回路基板を更に備えること
を特徴とするカメラ。
【請求項８】
請求項１から請求項７のいずれか一項に記載のカメラにおいて、
前記第１電子回路基板は、前記シャーシの前記開口部を有する面に対して略垂直に配置されていること
を特徴とするカメラ。
【請求項９】
請求項１から請求項８のいずれか一項に記載のカメラにおいて、
前記第２電子回路基板は、前記シャーシの前記開口部を有する面に対して略水平に配置されていること
を特徴とするカメラ。
【請求項１０】
請求項１から請求項９のいずれか一項に記載のカメラにおいて、
前記第３電子回路基板は、前記シャーシの前記開口部を有する面に対して略水平に配置されていること
を特徴とするカメラ。
【発明の詳細な説明】
【技術分野】
【０００１】
本発明は、カメラに関するものである。
【背景技術】
【０００２】
従来、カメラの内部に金属製のシャーシを配置し、そのシャーシの前後で領域を分けて、スペースを活用する方法が知られている（例えば、特許文献１）。
しかし、従来の方法では、シャーシの前後をまたぐ配線や、シャーシ同士の接続を行うための接続手段を必要とするため、部品追加のコストがかかるうえ、スペースを効率よく利用することができない、という問題があった。
【特許文献１】特開２００５−５７６５６号公報
【発明の開示】
【発明が解決しようとする課題】
【０００３】
本発明の課題は、スペースを効率よく利用することができるカメラを提供することである。
【課題を解決するための手段】
【０００４】
請求項１に記載のカメラは、撮像素子と略平行に配置され、開口部を有するシャーシと、前記開口部を貫通するように配置される第１電子回路基板と、前記シャーシの第１面側に配置され、前記第１電子回路基板と電気的に接続される第２電子回路基板と、前記シャーシの前記第１面とは反対側の第２面側に配置され、前記第１電子回路基板と電気的に接続される第３電子回路基板とを備えることを特徴とする。
請求項２に記載のカメラは、請求項１に記載のカメラにおいて、前記シャーシは、被写体光が通過するアパーチャ領域を有するシャッター取付部材と、前記シャッター取付部材に取り付けられたシャッターとを有することを特徴とする。
請求項３に記載のカメラは、請求項２に記載のカメラにおいて、前記シャーシは、カメラ筐体の一部を構成する前ボディに取り付けられていることを特徴とする。
請求項４に記載のカメラは、請求項３に記載のカメラにおいて、前記第２電子回路基板は、前記前ボディに取り付けられていることを特徴とする。
請求項５に記載のカメラは、請求項１から請求項４に記載のカメラにおいて、前記第３電子回路基板と電気的に接続される第４電子回路基板を更に備え、前記開口部は、第１開口部と、前記第１開口部とは別の第２開口部とで構成され、前記第１電子回路基板は、前記第１開口部を貫通するように配置され、前記第４電子回路基板は、前記第２開口部を貫通するように配置されていることを特徴とする。
請求項６に記載のカメラは、請求項５に記載のカメラにおいて、前記第１電子回路基板及び前記第４電子回路基板は、被写体光が通過するアパーチャ領域を挟むように配置されていることを特徴とする。
請求項７に記載のカメラは、請求項１から請求項６のいずれか一項に記載のカメラにおいて、光軸方向において前記シャーシと前記第３電子回路基板との間に配置され、前記撮像素子を制御するための回路を有する第５電子回路基板を更に備えることを特徴とする。
請求項８に記載のカメラは、請求項１から請求項７のいずれか一項に記載のカメラにおいて、前記第１電子回路基板は、前記シャーシの前記開口部を有する面に対して略垂直に配置されていることを特徴とする。
請求項９に記載のカメラは、請求項１から請求項８のいずれか一項に記載のカメラにおいて、前記第２電子回路基板は、前記シャーシの前記開口部を有する面に対して略水平に配置されていることを特徴とする。
請求項１０に記載のカメラは、請求項１から請求項９のいずれか一項に記載のカメラにおいて、前記第３電子回路基板は、前記シャーシの前記開口部を有する面に対して略水平に配置されていることを特徴とする。
【発明の効果】
【０００５】
本発明によれば、スペースを効率よく利用することができるカメラを提供することができる。
【発明を実施するための最良の形態】
【０００６】
以下、図面等を参照して、本発明の実施形態をあげて、さらに詳しく説明する。なお、本発明のカメラは、例えば、スチルカメラ、ビデオカメラ、デジタルカメラ等とすることができるが、以下の実施形態では、一眼レフ型のカメラを例にとって説明する。
【０００７】
［実施形態］
図１は、実施形態のカメラを示す図であり、図２は、シャーシとその周辺を詳細に示す図である。なお、図中の矢印は、カメラの前後左右方向を示しており、被写体側を前方向とし、撮影者側を後ろ方向としている。
カメラ１は、カメラ筐体２と、シャーシ３と、シャッター取り付け部材４と、メイン基板５と、第１〜第４の電子回路基板６−１〜６−４と、撮像回路基板７と、シャッター８と、バッテリー９と、前ボディ１０と、マウント１１などとを備える。
【０００８】
カメラ筐体２は、後述する各種部材を収容する部材である。
シャーシ３は、カメラ筐体２内に配置され、プレート状の金属製の部材であり、光軸Ｏと略垂直に配置された本体部３ａ（図２参照）と、本体部３ａの両端に形成され、前方向側に折り曲げられた折り曲げ部３ｂ，３ｃと、本体部３ａに設けられた開口部３ｄ，３ｅとを有する。
シャッター取り付け部材４は、シャーシ３の本体部３ａに、アウトサートモールドによってシャーシ３と一体に設けられ、シャッター８を取り付ける部材であり、被写体光が通過するアパーチャ領域４ａを有する。
メイン基板５は、シャーシ３の後方に、シャーシ３の本体部３ａと略平行に配置され、このカメラ１の主な制御を行う回路を有するリジット基板である。
【０００９】
第１〜第４の電子回路基板６−１〜６−４は、メイン基板５の主な制御を補助する回路を有するリジット基板である。なお、各基板は、電子回路や電子部品などが実装されて実装基板となっている。
第１の電子回路基板６−１は、カメラ筐体２内の右側に、メイン基板５と略垂直になるように配置されており、シャーシ３の開口部３ｄ（図２参照）を貫通している。
第２の電子回路基板６−２は、第１の電子回路基板６−１と略平行に並んで、メイン基板５と略垂直になるように配置されており、シャーシ３の開口部３ｄ（図２参照）を貫通している。
第３の電子回路基板６−３は、カメラ筐体２内の左側に、メイン基板５と略垂直になるように配置されており、シャーシ３の開口部３ｅ（図２参照）を貫通している。
第４の電子回路基板６−４は、第３の電子回路基板６−３と略垂直になるように配置されている。
第１〜第３の電子回路基板６−１〜６−３は、シャーシ３の折り曲げ部３ｂ，３ｃ（図２参照）と略平行に配置されており、第４の電子回路基板６−４は、シャーシ３の本体部３ａ（図２参照）と略平行に配置されている。
【００１０】
また、第１の電子回路基板６−１とメイン基板５、第２の電子回路基板６−２とメイン基板５、第３の電子回路基板６−３とメイン基板５、第３の電子回路基板６−３と第４の電子回路基板６−４は、コネクタ６ａによって接続されている。
さらに、メイン基板５と第４の電子回路基板６−４とは、シャーシ３を挟んで両側に略平行に配置されており、第３の電子回路基板６−３は、メイン基板５と第４の電子回路基板６−４とを接続している。
さらにまた、第１及び第２の電子回路基板６−１，６−２と、第３の電子回路基板６−３とは、後述するアパーチャ領域４ａを挟んで両側に配置されている。
【００１１】
撮像回路基板７は、シャッター取り付け部材４の後方に配置され、不図示の撮像素子の制御を行う回路を有する基板である。
シャッター８は、シャッター取り付け部材４にビスなどによって取り付けられ、撮像素子に光を当てるために一定時間だけ開く露光装置である。
バッテリー９は、カメラ筐体２内の右側前方に配置され、このカメラ１の各種部品に電源を供給する装置である。
前ボディ１０は、シャッター取り付け部材４及びシャッター８に取り付けられ、カメラ筐体２内の中央付近から前方付近にかけて配置された部材である。
マウント１１は、前ボディ１０の前方部分に、カメラ筐体２から突出して設けられ、不図示の交換レンズのマウントと結合するための部材である。
【００１２】
次に、本実施形態のカメラ１の製造方法について説明する。
まず、図１及び図２に示すような形のシャーシ３を用意する。
ついで、アウトサートモールドによってシャッター取り付け部材４を成形し、シャーシ３とシャッター取り付け部材４とを一体化する。
さらに、一体化したシャーシ３とシャッター取り付け部材４とに、前ボディ１０を取り付ける。
そして、シャーシ３の開口部３ｄ，３ｅに、所定の電子回路基板を挿し込みながら、各部品を所定の位置に取り付ける。
最後に、カメラ筐体２とマウント１１とを取り付け、図１及び図２に示すようなカメラ１が完成する。
【００１３】
このように、本実施形態によれば、以下のような効果がある。
（１）シャーシ３の開口部３ｄ，３ｅ内に、第１〜第３の電子回路基板６−１〜６−３の少なくとも一部を配置しているので、スペースを効率よく利用することができる。
（２）シャーシ３に開口部３ｄ，３ｅを設けているので、カメラ１の軽量化を図ることができる。
【００１４】
（３）金属製のシャーシ３によって、開口部３ｄ，３ｅ内に配置されている電子回路基板を保護することができる。
（４）第１〜第３の電子回路基板６−１〜６−３は、開口部３ｄ，３ｅを貫通しているので、スペースをより効率よく利用することができる。
【００１５】
（５）第３の電子回路基板６−３は、メイン基板５と第４の電子回路基板６−４とを接続しているので、シャーシ３の前後をまたぐ配線などは不要となり、部品追加のコストを抑えることができる。
（６）第１〜第３の電子回路基板６−１〜６−３は、メイン基板５と略垂直になるように配置されているので、電子回路基板を安定して配置することができる。
（７）第１及び第２の電子回路基板６−１，６−２と、第３の電子回路基板６−３とは、アパーチャ領域４ａを挟んで両側に配置されているので、電子回路基板をバランスよく配置することができる。
【００１６】
［変形形態］
上述した実施形態は、以下の変形も可能である。
（１）第１〜第３の電子回路基板６−１〜６−３は、開口部３ｄ，３ｅを貫通する例で説明したが、少なくとも一部が開口部３ｄ，３ｅ内に配置されているだけであってもよい。
（２）第１〜第３の電子回路基板６−１〜６−３は、メイン基板５に対して略垂直に配置する例で説明したが、他の部品によって配置スペースに制約がある場合には、斜めに配置してもよい。また、メイン基板５及び第４の電子回路基板６−４は、シャーシ３に対して略平行に配置しなくてもよい。
【００１７】
（３）開口部３ｄ，３ｅは、孔の例で説明したが、切り欠きであってもよい。
（４）各基板を接続する際には、基板同士を直接接続するタイプのコネクタを使用してもよく、フレキシブルプリント配線板を使用してもよい。
（５）シャーシ３には、各電子回路基板を固定するビスなどの固定部を備えさせてもよい。このようにすれば、各電子回路基板をより安定して配置させることができる。
なお、上述した実施形態及び変形形態は、適宜組み合わせて用いることもできるが、詳細な説明は省略する。また、本発明は、以上説明した実施形態や変形形態によって限定されることはない。
【図面の簡単な説明】
【００１８】
【図１】実施形態のカメラを示す図である。
【図２】シャーシとその周辺を詳細に示す図である。
【符号の説明】
【００１９】
１：カメラ、２：カメラ筐体、３：シャーシ、３ｄ，３ｅ：開口部、４：シャッター取り付け部材、４ａ：アパーチャ領域、５：メイン基板、６−１〜６−４：第１〜第４の電子回路基板、７：撮像回路基板、８：シャッター、９：バッテリー、１０：前ボディ、１１：マウント
【図１】
0005055572.tif 000002
【図２】
0005055572.tif 000003